(57)【要約】【課題】映像再生装置が映像メディアをスケジュール通りに再生している際に、何らかの原因により、映像メディアの再生が意図せず途中で停止してしまう場合がある。その際に、映像メディアの再生が再開される場合、意図したスケジュールと実際の再生内容とが合わなくなる可能性があった。【解決手段】映像メディアを再生する映像再生装置と接続され、映像メディアを所定のスケジュールに従って再生するよう映像再生装置を制御する装置であって、映像メディアの所定のスケジュールに基づく再生位置を導出する再生位置導出部と、所定のスケジュールに基づく再生位置に合わせるために、必要な操作を選択する選択部と、を備えるメディア再生制御装置。【選択図】図１
2019110435.tif 000002
【特許請求の範囲】
【請求項１】
映像メディアを再生する映像再生装置と接続され、前記映像メディアを所定のスケジュールに従って再生するよう前記映像再生装置を制御する装置であって、
前記映像再生装置の再起動時に、前記映像メディアの前記所定のスケジュールに基づく再生位置を導出する再生位置導出部と、
前記再生位置導出部により導出された前記所定のスケジュールに基づく再生位置に合わせるために、必要な操作を選択する選択部と、
を備えるメディア再生制御装置。
【請求項２】
前記映像再生装置により出力された映像データを表示する、映像表示部をさらに備える、
請求項１に記載のメディア再生制御装置。
【請求項３】
前記映像メディアがどこまで再生されたかの経過時間を示す、再生位置を監視する再生時間監視部と、
前記映像再生装置において前記映像メディアの再生が途切れた可能性がある場合に、前記映像再生装置を再起動するのに要する時間を測定する再起動時間測定部と、
をさらに備える、
請求項１または２に記載のメディア再生制御装置。
【請求項４】
映像メディアを再生する映像再生装置と接続され、映像メディアを所定のスケジュールに従って再生するよう前記映像再生装置を制御する装置が、
前記映像再生装置の再起動時に、前記映像メディアの前記所定のスケジュールに基づく再生位置を導出し、
前記所定のスケジュールに基づく再生位置に基づいて、必要な操作を選択して前記映像再生装置を制御する、
メディア再生制御方法。
【請求項５】
映像メディアを再生する映像再生装置と接続し、映像メディアを所定のスケジュールに従って再生するプログラムであって、
前記映像再生装置の再起動時に、前記映像メディアの前記所定のスケジュールに基づく再生位置を導出する再生位置計算ステップと、
前記再生位置計算ステップにより導出された前記所定のスケジュールに基づく再生位置に基づいて、必要な操作を選択する選択ステップと、
を含むコンピュータにより実行可能なメディア再生制御プログラム。
【発明の詳細な説明】
【技術分野】
【０００１】
本発明は、メディア再生制御装置、メディア再生制御方法およびメディア再生制御プログラムに関する。
【背景技術】
【０００２】
従来、接続された機器間での通信を可能にするネットワークに接続され、かつ、映像信号およびまたは音声信号の元になるデータを、記憶媒体に記録しかつ再生する記録再生装置であって、前記記憶媒体の現在のヘッド位置を示すカウンタ値を計算し、前記記憶媒体の走行時に前記計算を繰り返すカウンタ値計算手段と、計算されたカウンタ値を、前記ネットワークを介して他の機器に送信する処理を繰り返すカウンタ値送信手段とを備えることを特徴とする記録再生装置が知られている（例えば、特許文献１参照）。
【先行技術文献】
【特許文献】
【０００３】
【特許文献１】特開２０００−１１６１９号公報
【発明の概要】
【発明が解決しようとする課題】
【０００４】
従来の技術において、映像再生装置が、例えばビデオテープや、ＤＶＤ（Digital Versatile Disc；登録商標）のような記憶媒体が保持する映像メディアをスケジュール通りに再生している際に、何らかの原因により、映像メディアの再生が意図せず途中で停止してしまう場合がある。その際に、例えば、ユーザが手動で映像再生装置を再起動するなどして、映像メディアの再生が再開される場合、映像メディアの冒頭からの再生となってしまう等、意図したスケジュールと実際の再生内容とが合わなくなる可能性があった。
【０００５】
上述の課題を鑑み、本発明は、ユーザの意図したスケジュールに基づいた映像メディアを再生するメディア再生制御装置、メディア再生制御方法およびメディア再生制御プログラムを提供することを目的とする。
【課題を解決するための手段】
【０００６】
本発明の一様態は、映像メディアを再生する映像再生装置と接続され、前記映像メディアを所定のスケジュールに従って再生するよう前記映像再生装置を制御する装置であって、前記映像再生装置の再起動時に、前記映像メディアの前記所定のスケジュールに基づく再生位置を導出する再生位置導出部と、前記再生位置導出部により導出された前記所定のスケジュールに基づく再生位置に合わせるために、必要な操作を選択する選択部とを備えるメディア再生制御装置である。
【発明の効果】
【０００７】
本発明によれば、ユーザの意図したスケジュールに基づいた映像メディアを再生するメディア再生制御装置、メディア再生制御方法およびメディア再生制御プログラムを提供することができる。
【図面の簡単な説明】
【０００８】
【図１】本発明の実施形態に係るメディア再生制御装置１０の構成例を示すブロック図である。
【図２】本発明の実施形態におけるメディア再生制御装置１０が使用可能な操作種類を判定する処理の流れの一例を示すフローチャートである。
【図３】本発明の実施形態におけるメディア再生制御装置１０の再生位置調整処理の流れの一例を示すフローチャートである。
【図４】本発明の実施形態におけるメディア再生制御装置１０のスケジュール調整操作の導出イメージを示す説明図である。
【図５】本発明の実施形態における映像再生装置２０Ａおよび２０Ｂの持つ操作種類の一例を示す図である。
【図６】本発明の実施形態に係るメディア再生制御装置１０Ａの構成例を示すブロック図である。
【発明を実施するための形態】
【０００９】
以下、本発明の実施形態について図面を参照して説明する。
【００１０】
図１は、本発明の実施形態に係るメディア再生制御装置１０の構成例を示すブロック図である。図１に示すように、映像再生装置２０および映像表示装置３０と接続するメディア再生制御装置１０は、例えば、記憶部１１と、再生時間監視部１２と、再起動時間測定部１３と、再生位置導出部１４と、制御部１５と、通信部１６と、選択部１７とを備える。映像再生装置２０で再生する映像メディアを格納する記憶媒体は、例えば着脱自在の記憶媒体として構成されていてもよい。映像再生装置２０は、例えば記憶媒体がＤＶＤである場合、ＤＶＤプレーヤーである。また、記憶媒体は、例えばハードディスク等の、映像再生装置２０内に設けられる記憶装置でもよい。映像表示装置３０は、例えば液晶ディスプレイ・モニターである。
【００１１】
記憶部１１には、後述する事前処理により映像再生装置２０で実施できる、操作種類を保持する操作種類ファイル１８が記憶される。操作種類には、例えば、通常の再生速度の２倍である「２倍速早送り」や、現在の再生位置に基づいて次のチャプター（章）へ移動する「次チャプター」などが含まれる。再生時間監視部１２は、再生時間を計測する。再生時間とは、映像再生装置２０が正常に映像メディアを再生している間、その映像メディアが再生され始めてから、継続して映像メディアが再生されている経過時間である。例えば、映像再生装置２０により、短い映像メディアが連続再生されるような場合、再生時間監視部１２は、短い映像メディアが先頭から再生されるタイミングに合わせて、再生時間の計測をリセットし、ゼロから計測を開始してもよい。また、例えば、映像再生装置２０により再生する記憶媒体の映像メディアがチャプターを持ち、かつ、映像再生装置２０がチャプターを認識して再生位置の移動の操作に対応可能な場合、再生時間監視部１２は、再生中のチャプターの識別情報と、そのチャプターの再生時間とを組み合わせた情報を計測してもよい。
【００１２】
再起動時間測定部１３は、映像再生装置２０による映像メディアの再生が途切れた可能性がある場合、映像再生装置２０の再起動処理が開始されてから、映像メディアが再生されている状態に戻るまでの時間を計測する。以下、映像再生装置２０の再起動処理が開始されてから、映像メディアが再生されている状態に戻るまでの時間を、再起動時間と称する。ここで、映像メディアが再生されている状態とは、例えば映像メディアの冒頭からの再生となってしまうなど、必ずしも意図したスケジュールと実際の再生内容とが合っているとは限らない状態を指す。再生位置導出部１４には、映像再生装置２０に対して再起動処理が開始された場合に、再生時間監視部１２および再起動時間測定部１３の計測結果が出力される。再生位置導出部１４は、再生時間監視部１２および再起動時間測定部１３の計測結果から、所定のスケジュールに合わせた再生位置を計算し、計算結果を、選択部１７に出力する。選択部１７は、所定のスケジュールに合わせた再生位置となるよう操作するために必要な操作種類の好適な組合せを導出し、導出結果を、制御部１５に出力する。
【００１３】
制御部１５は、映像再生装置２０に対して命令を出力し、命令に対する映像再生装置２０の応答を解釈して、再生時間や再起動時間の測定の開始および停止を指示する。通信部１６は、制御部１５から入力された命令を、通信・制御部２１に送信する。また通信部１６は、通信・制御部２１から受信した命令を、制御部１５に出力する。
【００１４】
メディア再生制御装置１０の通信部１６と、映像再生装置２０の通信・制御部２１とは、例えばＨＤＭＩ（High Definition Multimedia Interface；高精細度マルチメディアインターフェース；登録商標）を介して接続される。また、メディア再生制御装置１０の通信部１６と映像表示装置３０とは、ＨＤＭＩに限定されず、ＲＧＢコンポーネントビデオ端子やコンポジットビデオ端子等を用いてもよい。
【００１５】
また、記憶部１１としては、内蔵メモリの他、カード型のフラッシュメモリ等を用いるようにしてもよい。
【００１６】
通信・制御部２１は、通信部１６に、入力された命令の応答を送信する。また、映像出力部２２は、通信・制御部２１および通信部１６を介して、映像表示装置３０に、映像メディアの映像データを送信する。この映像メディアの再生方法は、当業者に広く知られているため、詳細な説明は割愛する。
【００１７】
［事前判定処理］
記憶部１１の操作種類ファイル１８には、映像再生装置２０で実施できる操作種類が記憶される。操作種類ファイル１８には、いくつかの民生品の名称と、その民生品で実施できる操作種類とを対応づけた情報が、予め設定されていてもよい。また、操作種類ファイル１８には、メディア再生制御装置１０のユーザにより設定された、映像再生装置２０で実施できる操作種類が含まれてもよい。
【００１８】
メディア再生制御装置１０は、初回利用開始時または起動時に、以下のような事前判定処理を行う。制御部１５は、通信部１６に、映像再生装置２０の名称取得を指示する命令を出力する。名称取得を指示する命令とは、例えばＨＤＭＩ−ＣＥＣ（Consumer Electronics Control）コマンドであれば<Give OSD Name>である。通信部１６は、通信・制御部２１に、映像再生装置２０の名称取得を指示する命令を送信する。通信・制御部２１は、通信部１６に、映像再生装置２０の名称情報を返信する。通信部１６は、制御部１５に、通信・制御部２１から受信した映像再生装置２０の名称情報を出力する。制御部１５は、入力された映像再生装置２０の名称情報を用いて、その映像再生装置２０で実施可能な操作種類を、操作種類ファイル１８から呼び出すことができるか否かを判定する。制御部１５は、操作種類を呼び出すことができると判定した場合、映像表示装置３０または図示しない操作状況表示装置にその結果を表示するよう指示してもよい。また、制御部１５は、操作種類を呼び出すことができないと判定した場合、映像表示装置３０または図示しないメディア再生制御装置１０の操作状況表示装置に、メディア再生制御装置１０のユーザへ向けて、操作種類を手動で設定するよう促すメッセージを表示させてもよい。
【００１９】
図２は、事前処理の流れの一例を示すフローチャートである。
【００２０】
まず、制御部１５は、映像再生装置２０の名称情報取得を指示する命令を発行する（ステップＳ１００）。次に、制御部１５は、映像再生装置２０の名称情報を返却される（ステップＳ１０１）。次に、制御部１５は、返却された名称情報に基づいて、操作種類ファイル１８の操作種類が呼び出せるか否かを判定する（ステップＳ１０２）。制御部１５は、対応する操作種類が呼び出せると判定した場合、正常であると判定し、本フローチャートの処理を終了する。制御部１５は、対応する操作種類が呼び出せないと判定した場合、メディア再生制御装置１０のユーザに操作種類を手動で設定するよう促し（ステップＳ１０３）、本フローチャートの処理を終了する。これにより本フローチャートの説明は終了する。
【００２１】
［映像メディアの再生］
メディア再生制御装置１０は、映像再生装置２０に、起動時または再生開始時に、映像メディアを格納した記憶媒体から映像データを呼び出す指示を出力する。
【００２２】
通信・制御部２１は、通信部１６に、映像再生装置２０の状態を示す通知を送信する。例えば、通信・制御部２１は、通信部１６に、再生が開始されたことを示す通知を送信する。再生が開始されたことを示す通知は、例えばＨＤＭＩ−ＣＥＣコマンドであれば<Active Source>である。通信部１６は、制御部１５に、通信・制御部２１から受信した再生が開始されたことを示す通知を出力する。制御部１５は、再生時間監視部１２に、再生時間の測定の開始の命令を出力する。
【００２３】
［再生位置調整の要否判定］
メディア再生制御装置１０は、スケジュール通りに映像メディアが再生されているか否かを、以下の方法で随時判定する。制御部１５は定期的に、通信部１６に、映像メディアの再生状態を確認する命令を出力する。再生状態を確認する命令は、例えばＨＤＭＩ−ＣＥＣコマンドであれば、<Deck Status>である。通信部１６は、通信・制御部２１に、映像メディアの再生状態を確認する命令を送信する。通信・制御部２１は、通信部１６に、再生状態を確認する命令の応答を返信する。通信部１６は、制御部１５に、通信・制御部２１より返信された再生状態を確認する命令の応答を出力する。制御部１５は、入力された再生状態を確認する命令の応答を解釈し、映像メディアが再生中であるか否かを判定する。制御部１５は、映像メディアが再生中であると判定した場合、一定時間の待機の後、再度、映像メディアが再生状態であるか否かの判定を繰り返す。制御部１５は、映像メディアが再生中でないと判定した場合、後述する再起動を伴う再生位置調整処理を開始する。
【００２４】
［再起動を伴う再生位置調整処理］
まず、制御部１５は、再生時間監視部１２に、再生時間の測定を停止する命令を出力する。再生時間監視部１２は、制御部１５に、計測した再生時間を出力する。以下、再生時間監視部１２が計測した再生時間をｘと称する。
【００２５】
次に、再起動時間測定部１３は、再起動時間の測定を開始する。再起動時間測定部１３による再起動時間の計測の開始と同時に、制御部１５は、通信・制御部２１に、電源ＯＦＦおよび電源ＯＮを指示する命令を出力する。制御部１５は、通信部１６に、電源状態を取得する命令を出力する。電源状態を取得する命令は、例えばＨＤＭＩ−ＣＥＣコマンドであれば、<Give Device Power Status>である。通信部１６は、通信・制御部２１に、電源状態を取得する命令を送信する。制御部１５は、通信部１６に、通信・制御部２１からの電源状態を取得する命令に対する返信を受け、映像再生装置２０の再起動処理が完了した状態であると判定するまで電源状態を取得する命令の出力を繰り返す。
【００２６】
制御部１５は、映像再生装置２０の再起動が完了したと判定した場合、通信部１６に、映像メディアの再生の命令を出力する。再生の命令は、例えばＨＤＭＩ−ＣＥＣコマンドであれば、<User Control Press ”Play”>である。通信部１６は、通信・制御部２１に、映像メディアの再生の命令を送信する。次に、通信・制御部２１は、通信部１６に、平常時と同様に、映像メディアの再生が開始されたことを示す通知を送信する。通信部１６は、制御部１５に、通信・制御部２１から受信した通知を出力する。制御部１５は、再起動時間測定部１３に、再起動時間の計測を停止する命令を出力する。再起動時間測定部１３は再起動時間の計測を停止する。以下、再起動時間測定部１３により計測された再起動時間をｙと称する。再起動時間測定部１３は、再生位置導出部１４に、再起動時間ｙを出力する。
【００２７】
次に再生位置導出部１４は、計測されたｘおよびｙとの合計時間を導出する。再生位置導出部１４は、選択部１７に、ｘおよびｙを出力する。以下、再生位置を移動するための好適な操作の組合せのことをスケジュール調整操作と称する。また、以下、再生位置を移動するためのスケジュール調整操作に要する時間をｚと称する。選択部１７は、少なくともｘとｙとｚとの合計時間を上回るようなスケジュール調整操作を選択する。選択部１７は、制御部１５に、選択したスケジュール調整操作を出力する。制御部１５は、選択部１７により選択されたスケジュール調整操作との合計時間が、ｘとｙとｚとの合計時間を上回る場合、スケジュール調整操作との合計時間と、ｘとｙとｚとの合計時間との差を導出する。以下、スケジュール調整操作との合計時間と、ｘとｙとｚとの合計時間との差を、αと称する。制御部１５は、映像再生装置２０に、スケジュール調整操作を命令した後、αだけ一時停止するよう命令すればよいと解釈する。一時停止の命令は、例えばＨＤＭＩ−ＣＥＣコマンドであれば、<User Control Press ”Pause”>である。
【００２８】
制御部１５は、通信部１６に、導出されたスケジュール調整操作を実現するための命令を出力する。通信部１６は、通信・制御部２１に、導出されたスケジュール調整操作を実現するための命令を送信する。例えばＨＤＭＩ−ＣＥＣコマンドであれば、２倍速早送りの命令は、<User Control Press ”Fast Forward”>を２回連続で送ることで実現し、３倍速早送りの命令は、<User Control Press ”Fast Forward”>を３回連続で送ることで実現する。
【００２９】
通信・制御部２１は、通信部１６に、スケジュール調整操作が完了し、映像メディアが再生状態に戻ったら、映像メディアが再生中であることを示す通知を送信する。通信部１６は、制御部１５に、通信・制御部２１から受信した通知を出力する。制御部１５は、再生時間監視部１２に、再生時間の測定の再開の命令を出力する。
【００３０】
次に、図３を参照して、メディア再生制御装置１０の再生位置調整処理について説明する。図３は、映像再生装置２０による映像メディアの再生が開始された後、映像再生装置２０の再起動が行われ、メディア再生制御装置１０が再生位置調整処理を実施する際の、一連の処理の流れの一例を示すフローチャートを示す。
【００３１】
まず、制御部１５は、映像再生装置２０による映像メディアの再生が開始されたことを示す通知を検知する（ステップＳ２００）。次に、制御部１５は、映像再生装置２０の操作種類が取得できたか否かを判定する（ステップＳ２０２）。制御部１５は、映像再生装置２０の操作種類が取得できなかったと判定した場合、一定時間待機した後、再度ステップＳ２０２を実施する。制御部１５は、映像再生装置２０の操作種類が取得できたと判定した場合、再生時間監視部１２に再生時間測定を開始する命令を出力する（ステップＳ２０４）。次に、制御部１５は、映像再生装置２０のステータスが「再生中」の状態であるか否かを判定する（ステップＳ２０６）。制御部１５は、映像再生装置２０のステータスが「再生中」であると判定した場合、一定時間待機した後、再度ステップＳ２０６を実施する。制御部１５は、映像再生装置２０のステータスが「再生中」であると判定しなかった場合、再生時間監視部１２に、再生時間の計測を停止する命令を出力する（ステップＳ２０８）。次に、制御部１５は、再起動時間測定部１３に、再起動時間の計測を開始する命令を出力する（ステップＳ２１０）。次に、制御部１５は、映像再生装置２０の再起動処理を行うよう命令を出力する（ステップＳ２１２）。次に、制御部１５は、映像再生装置２０の再起動が完了し電源がＯＮになったか否かを判定する（ステップＳ２１４）。制御部１５は、映像再生装置２０の電源がＯＮでないと判定した場合、一定時間待機した後、再度ステップＳ２１４を実施する。制御部１５は、映像再生装置２０の電源がＯＮであると判定した場合、通信・制御部２１に、映像メディアの再生を再開するよう命令を出力する（ステップＳ２１６）。次に、制御部１５は、再起動時間測定部１３に、再起動時間の測定を停止する命令を出力する（ステップＳ２１８）。次に、制御部１５は、再生位置導出部１４に、所定のスケジュールに従って映像メディアを再生するため、再生位置の導出の命令を出力する（ステップＳ２２０）。次に、制御部１５は、選択部１７に、所定のスケジュールに基づいた再生位置となる好適な操作種類の選択の命令を出力する（ステップＳ２２２）。次に、制御部１５は、映像再生装置２０に、スケジュール調整操作の命令を出力する（ステップＳ２２４）。次に、制御部１５は、再生時間監視部１２に、再生時間の計測の再開の命令を出力する（ステップＳ２２６）。これにより本フローチャートの処理は終了する。
【００３２】
次に、図４を参照して、再生時間監視部１２が出力する時間ｘと、再起動時間測定部１３が出力する時間ｙと、選択部１７が出力する時間ｚとαとの関係性を説明する。図４では、上から下に向かって時間が経過する様子を表している。図４に示す通り、映像再生装置２０による再生再開のための処理に要する時間は、再生時間監視部１２により計測された再生時間ｘと、再起動時間測定部１３により計測された再起動時間ｙと、再生位置を移動するためのスケジュール調整操作に要する時間ｚと、スケジュール調整操作の後、一時停止して再生再開のタイミングを調整する時間αとの和によって導出される。
【００３３】
［スケジュール調整操作の導出］
以下、図５を参照して、スケジュール調整操作の導出の一例を説明する。図５は映像再生装置２０Ａおよび別の映像再生装置２０Ｂが備える、早送り機能を整理した表である。
【００３４】
図５に示す通り、映像再生装置２０Ａは、２倍速早送りおよび５倍速早送りが可能であるとする。また、図５に示す通り、映像再生装置２０Ｂは、２倍速早送りおよび３倍速早送りが可能であるとする。
【００３５】
ここで、再生時間監視部１２により計測された再生時間ｘ、再起動時間測定部１３により計測された再起動時間ｙに具体的な数値を設定し、スケジュール調整操作の導出の過程の一例を示す。例えば、ｘ＝７分４秒（４２４秒）、ｙ＝１０秒であったとする。まず、選択部１７は、ｘとｙとの合計時間分だけ再生位置を移動させるのに要する最短の時間（以下、ｚ１と称する）を導出する。最短の時間は、最初に最大の倍速で除算し、その剰余を次に大きい倍速で割る、という計算を繰り返すことで導出できる。
【００３６】
例えば、映像再生装置２０Ａであれば、ｚ１は以下のように導出する。ｘとｙとの合計時間（４３４秒）は、選択部１７により、最大の倍速である５で除され、商は８６、剰余は４であると導出される。次に、剰余４は、選択部１７により、次に大きい倍速である２で除され、商は２、剰余はないと導出される。従ってｚ１は、選択部１７により、導出された商を加算した８８秒であると導出される。
【００３７】
次に、選択部１７は、ｘとｙとｚ１との合計時間分だけ再生位置を移動させるのに要する最短の時間（以下、ｚ２と称する）を導出する。ｚ２は、前述のｚ１の導出方法と同様に導出する。例えば、映像再生装置２０Ａであれば、ｚ２は以下のように導出する。ｘとｙとｚ１との合計時間（５２２秒）は、選択部１７により、最大の倍速である５で除され、商は１０４、剰余は２であると導出される。次に、剰余４は、選択部１７により、次に大きい倍速である２で除され、商は１、剰余はないと導出される。従ってｚ２は、選択部１７により、導出された商を加算した１０５秒であると導出される。
【００３８】
次に、選択部１７は、少なくともｘとｙとｚ１とｚ２との合計時間分だけ再生位置を移動させることで、所定のスケジュールに基づく再生時間まで再生位置を移動させるのに要する最短の時間（以下、ｚ３と称する）と、操作により所定のスケジュールに基づく再生位置から余分に早送りを実施することになる余剰時間αを導出する。ｚ３は、少なくともｚ２だけ再生位置を移動するのに要する時間を求めることにより導出することができる。例えば、映像再生装置２０Ａであれば、ｚ３およびαは以下のように導出する。ｚ２は、再生位置導出部１４により、最大の倍速である５で除され、商は２１、剰余は１であると導出される。ここで、ｚ３は、剰余の存在を考慮して２２秒に設定される。またαは、除数である５と導出した剰余の１との差である、４秒が導出される。従って、例えば、映像再生装置２０Ａであれば、スケジュール合わせに要する時間は、ｚ１とｚ２とｚ３とαとの合計時間である、３分３９秒（２１９秒）であることが導出される。
【００３９】
また、例えば映像再生装置２０Ｂであれば、映像再生装置２０Ａの例と同様に各時間が導出することができ、ｚ１＝１４５秒、ｚ２＝１９３秒、ｚ３＝６５秒、α＝２秒であり、スケジュール合わせに要する時間は、６分４５秒（４０５秒）であると導出される。
【００４０】
また、例えば映像メディアがチャプターを持ち、かつ、映像再生装置２０がチャプターを認識した再生位置の移動の操作に対応可能な場合、早送りの代わりにチャプターを移動する操作を行ってもよい。選択部１７は、早送りの代わりにチャプターを移動する操作が行われる場合、映像メディアが再生されていた時間ｘから、移動するチャプターの合計時間を差し引いて、ｚ１とｚ２とｚ３とαとを導出する。
【００４１】
［まとめ］
以上のように、本実施形態によれば、映像再生装置２０による映像メディアの再生が途切れた可能性がある場合に、メディア再生制御装置１０により、映像再生装置２０の再起動処理を行い、かつ、再生時間監視部１２にて計測された再生時間と再起動時間測定部１３により測定された再起動時間から、所定のスケジュールに基づく再生位置を導出し、好適なスケジュール調整操作ができる。
【００４２】
以上、この発明の実施形態を、図面を参照して詳述してきたが、具体的な構成はこの実施形態に限られるものではなく、この発明の要旨を逸脱しない範囲の設計等も含まれる。例えば、図６に示すメディア再生制御装置１０Ａのように、映像を表示する装置がメディア再生制御装置に内包されてもよい。図６は、図１に示す映像表示装置３０に該当する構成が、映像表示部１９としてメディア再生制御装置１０Ａに内包されているものである。
【００４３】
なお、本実施形態の制御部１５は、コンピュータとして所定のプログラムを実行することで上記のように動作する。この場合、制御部１５が実行するプログラムの全部または一部はコンピュータ読取可能な記憶媒体または通信回線を介して頒布することができる。
【符号の説明】
【００４４】
１０、１０Ａ  メディア再生制御装置
１１  記憶部
１２  再生時間監視部
１３  再起動時間測定部
１４  再生位置導出部
１５  制御部
１６  通信部
１７  選択部
１８  操作種類ファイル
１９  映像表示部
２０、２０Ａ、２０Ｂ  映像再生装置
２１  通信・制御部
２２  映像出力部
３０  映像表示装置
【図１】
2019110435.tif 000003
【図２】
2019110435.tif 000004
【図３】
2019110435.tif 000005
【図４】
2019110435.tif 000006
【図５】
2019110435.tif 000007
【図６】
2019110435.tif 000008